(57)【特許請求の範囲】
【請求項１】
昇降基体に巻取ドラムを配置し、同巻取ドラムにワイヤーを支持し、同ワイヤーに、上面に昇降体を有する照明器具を昇降自在に吊下支持してなる昇降用照明装置において、
同昇降体は上面に掛止具を有し、同掛止具に所定の間隔を有して一対の滑車を支持し、また同一対の滑車の間に、一対のスライド体を配置し、さらに一対のスライド体の間に、一対のワイヤー掛止具を間隔を有し且つ向き合って配置し、また同ワイヤー掛止具は、ワイヤーに張力がかかっていないときはワイヤーが掛止されるように構成したことを特徴とする昇降用照明装置。
【請求項２】
昇降基体に巻取ドラムを配置し、同巻取ドラムにワイヤーを支持し、同ワイヤーに、上面に昇降体を有する照明器具を昇降自在に吊下支持してなる昇降用照明装置において、
同昇降体は上面に掛止具を一つの支持軸にて軸着し、同掛止具に所定の間隔を有して一対の滑車を支持し、また同一対の滑車の間に、一対のスライド体を配置し、さらに一対のスライド体の間に、一対のワイヤー掛止具を向き合って配置し、ワイヤーに張力がかからなくなったときに、掛止具が傾斜し、ワイヤーが同ワイヤー掛止具によって掛止されるように構成したことを特徴とする昇降用照明装置。
【発明の詳細な説明】
【０００１】
【発明の属する技術分野】
本発明は昇降用照明装置の改良に関する。
【０００２】
【従来の技術】
従来、体育館や工場や店舗等において、建物の天井面が高いときは、照明器具の保守点検あるいは電球交換等のため一部で昇降用照明装置が使用されている。
【０００３】
従来の昇降用照明装置は、５ｋｇあるいは１０ｋｇ程度の照明器具を昇降する構造においては、通常は１本のワイヤーの両端を、天井面等に配置してなる昇降基体の回転ドラムに所定の間隔を有して接続し、一方照明器具の上端に配置してなる一対の滑車に上記ワイヤーを移動自在に掛合して構成してある。そして昇降基体の回転ドラムを回転することにより、ワイヤーを巻取りあるいは巻戻し、照明器具を昇降するように構成してある。
【０００４】
【発明が解決しようとする課題】
しかし、上記した昇降用照明装置によると、ワイヤーが万一切断したときに、照明器具はそのまま落下する危険があり、種々の落下防止手段が提案されている。
【０００５】
本発明は上記の点に鑑み発明したものであって、比較的簡単な構造でワイヤーが万一切断しても照明器具が落下する危険性のない昇降用照明装置を提供することを目的とする。
【０００６】
【課題を解決するための手段】
本発明は上記課題を解決するために次の構成とする。請求項１に記載の発明は、昇降基体に巻取ドラムを配置し、同巻取ドラムにワイヤーを支持し、同ワイヤーに、上面に昇降体を有する照明器具を昇降自在に吊下支持してなる昇降用照明装置に関する。また同昇降体は上面に掛止具を有し、同掛止具に所定の間隔を有して一対の滑車を支持し、また同一対の滑車の間に、一対のスライド体を配置し、さらに一対のスライド体の間に、一対のワイヤー掛止具を間隔を有し且つ向き合って配置して構成してある。また同ワイヤー掛止具は、ワイヤーに張力がかかっていないときはワイヤーが掛止されるように構成してある。
【０００７】
請求項１に記載の発明によると、万一ワイヤーが切断し、ワイヤーに張力がかからない状態になったときは、ワイヤー掛止具によってワイヤーは掛止されるので、照明器具が落下する恐れはない。そして昇降体上面の一対のワイヤー掛止具の間で万一ワイヤーが切断した場合でも照明器具の落下を防止できる。
【０００８】
請求項２に記載の発明は、昇降基体に巻取ドラムを配置し、同巻取ドラムにワイヤーを支持し、同ワイヤーに、上面に昇降体を有する照明器具を昇降自在に吊下支持してなる昇降用照明装置に関する。
また同昇降体は上面に掛止具を一つの支持軸にて軸着し、同掛止具に所定の間隔を有して一対の滑車を支持し、また同一対の滑車の間に、一対のスライド体を配置し、さらに一対のスライド体の間に、一対のワイヤー掛止具を向き合って配置し、ワイヤーに張力がかからなくなったときに、掛止具が傾斜し、ワイヤーが同ワイヤー掛止具によって掛止されるように構成してある。
【０００９】
請求項２に記載の発明によると、ワイヤーに張力がかからなくなったときに、ワイヤー掛止具が傾斜すると、バネの作用により滑車が外方向へ移動し、ワイヤ掛止具によりワイヤーは確実に掛止される。
【００１０】
【発明の実施の形態】
以下本発明を図１乃至図１０について説明する。図１及び図２において、１は昇降基体であって、例えば建物の天井面等に固定し、内部にモータで回動するように構成してなる巻取ドラムを有して構成してある。２は昇降基体１に対して上下動自在に支持してなる昇降体である。３は昇降体２に支持してなる照明器具である。
【００１１】
また図２乃至図１０において、４は昇降体２の上面に設けた掛止具であって、図９に示すように、所定の間隔で一対の板体で構成してある。また同掛止具４は一つの支持軸５にて昇降体２の上面に軸着して構成してある。また同掛止具４は、図８と図１０に示すように、昇降体２に対して支持軸５を中心に傾動するように構成してある。８は同掛止具４の一部に形成した長穴である。６は掛止具４の両端近傍に所定の間隔を有して回転自在に支持してなる一対の滑車、７は各滑車６に連動して配置してなる一対のスライド体である。９はスライド体７の内端に形成してなる押圧部である。
【００１２】
１１は一対の滑車６の間に配置してなる一対のワイヤー掛止具であって、所定の間隔を有し且つ向き合って配置して構成してある。また同ワイヤー掛止具１１は、図５乃至図７に示すように、外方に向かって径少の空孔１２を有して筒状に構成してある。１３はワイヤー掛止具１１に嵌入する中空状の移動体であって、外周に複数の圧接具装着空孔１４を有し、また内端に掛止用の外周鍔１５を有して構成してある。また同圧接具装着空孔１４は、例えば同一間隔で３個配置して構成してある。１６は中空状の移動体１３を押圧するためのバネであって、例えばコイルバネを用いて構成してある。１７はバネ１６と、移動体１３を支持するためのキャップである。１８は圧接具装着空孔１４に略半分程度嵌入するように構成してなる掛止ボールである。１９は照明器具を吊り下げるワイヤーである。
【００１３】
次に正常に照明器具が支持されている状態と、正常に昇降するときの状態について説明する。
▲１▼図１及び図２に示すように、照明器具が支持されているときは、図５に示すように、掛止ボール１８は圧接具装着空孔１４に略半分程度嵌入しており、ワイヤー１９は掛止ボール１８で押圧されておらず、ワイヤー１９で照明器具は吊り下げられた状態となっている。
▲２▼またこの状態のとき、ワイヤーの巻取ドラムを回転することにより、ワイヤーは巻取り巻戻しされ照明器具の高さを変えることができる。
【００１４】
次にワイヤーが切断したきの状態について説明する。
▲１▼ワイヤーが切断すると、図１０に示すように、ワイヤー１９には張力がかからず、図６に示すように、バネ１６で移動体１３を押圧し、圧接具装着空孔１４における掛止ボール１８はワイヤー掛止具１１の内部の傾斜面で押圧されて、ワイヤー１９をロックし、照明器具の落下は防止される。
▲２▼また図１０に示すように、ワイヤー掛止具１１は、昇降体２に対して支持軸５を中心に傾動するので、滑車６は外方向へ移動すると共に掛止ボール１８はワイヤー掛止具１１の内部の傾斜面で押圧されて、ワイヤー１９をロックし、照明器具の落下は防止される。
【００１５】
また図３に示す一対のワイヤー掛止具１３の間で、万一ワイヤーが切断する事故が生じた場合でも一対のワイヤー掛止具は間隔を有するので、ワイヤー１９は確実に掛止される。
【００１６】
【発明の効果】
請求項１に記載の本発明によると、万一ワイヤーが一対のワイヤー掛止具の間で切断したとき、一対のワイヤー掛止具は、所定の間隔を有して配置してあるので、一対の掛止ボールと掛止ボールとの間に距離があり、掛止ボールがワイヤーを押圧するまでの時間が延びワイヤーは確実に掛止され、照明器具が落下することはなく、安全に使用することができる特別な効果がある。
【００１７】
請求項２に記載の本発明によると、ワイヤーに張力がかからなくなったときに、ワイヤー掛止具が傾斜し、滑車とワイヤー掛止具の作用でワイヤーは確実に掛止される特別な効果がある。
【図面の簡単な説明】
【図１】本発明に係る昇降用照明装置の正面図。
【図２】図１に示す昇降用照明装置の一部切欠正面図。
【図３】ワイヤーに張力がかかっているときの図１に示す掛止部の正面図。
【図４】ワイヤーに張力がかからなくなったときの図１に示す掛止部の正面図。
【図５】ワイヤーに張力がかかっているときの要部の断面図。
【図６】ワイヤーに張力がかかっていないときの要部の断面図。
【図７】ワイヤー掛止部の分解図。
【図８】図１に示す掛止具とワイヤー掛止具の関係を示す正面図。
【図９】図１に示す掛止具と滑車の位置関係を示す側面図。
【図１０】ワイヤーに張力がかかっていないときの昇降体とワイヤー掛止具の関係を示す正面図。
【符号の説明】
１  昇降基体
２  昇降体
３  照明器具
４  掛止具
５  支持軸
６  滑車
７  スライド体
８  長穴
９  押圧部
１１  ワイヤー掛止具
１２  空孔
１３  移動体
１４  圧接具装着空孔
１５  外周鍔
１６  バネ
１７  キャップ
１８  掛止ボール
１９  ワイヤー
【図１】
0004235777.tif 000002
【図２】
0004235777.tif 000003
【図３】
0004235777.tif 000004
【図４】
0004235777.tif 000005
【図５】
0004235777.tif 000006
【図６】
0004235777.tif 000007
【図７】
0004235777.tif 000008
【図８】
0004235777.tif 000009
【図９】
0004235777.tif 000010
【図１０】
0004235777.tif 000011